(57)【要約】【課題】単芯ケーブル或いは同軸ケーブルをアンプ基板に接続するための基板接続端子を引っ張り強度を維持させながら小型化する。【解決手段】単芯又は同軸ケーブルを回路基板７４に接続するためのケーブルの基板接続端子４０を、対向する２枚の突片４３，４４がカシメられてケーブルの被覆部分に固着されるケーブル外皮固着部と、本体部４０Ｂから突出する対向する２枚の突片４５，４６の自由端側が回路基板７４にあるスリットに挿通される幅を備え、基部側が段部により拡幅されている基板取付部と、対向する２枚の突片４１，４２がカシメられてケーブルの被覆部の内側にある導電部に固着される導電結合部とから構成したものである。ケーブル外皮固着部、ケーブル取付部、及び導電結合部は、ケーブルの接続方向に並べて、導電性金属で一体的に構成する。【選択図】図８
2011233360.tif 000002
【特許請求の範囲】
【請求項１】
芯線又は編組線を有するケーブルを基板に接続させるケーブル接続端子であって、
前記芯線又は編組線と電気的に接続され、かつ前記基板に設けられた孔に突片を挿入することにより、前記ケーブルを前記基板に固定する基板固定部と、
前記突片の挿入位置よりも前記基板の内部側に設けられる、前記芯線又は編組線を把持する導電線把持部とを有することを特徴とするケーブルの基板接続端子。
【請求項２】
前記突片は対向する２枚の突片から構成され、
前記２枚の突片のうちの何れか一方が抜止部を有することを特徴とする請求項１に記載のケーブルの基板接続端子。
【請求項３】
前記ケーブルは同軸ケーブルであって、
前記同軸ケーブルの芯線は前記基板に半田付けされ、
前記同軸ケーブルの被覆部分を把持する第１被覆把持部を有することを特徴とする請求項１または２に記載のケーブルの基板接続端子。
【請求項４】
前記ケーブルは単芯ケーブルであって、
前記単芯ケーブルの被覆部分を把持する第２被覆把持部を有し、
前記第２被覆把持部は前記突片の前記基板への挿入位置よりも前記基板の内部側に設けられることを特徴とする請求項１または２に記載のケーブルの基板接続端子。
【請求項５】
前記ケーブルの一端にはアンテナが接続され、前記基板が前記アンテナで受信した信号を増幅するアンテナアンプ回路を含むことを特徴とする請求項１から４の何れか１項に記載のケーブルの基板接続端子。
【発明の詳細な説明】
【技術分野】
【０００１】
本発明はケーブルの基板接続端子に関し、特に、単芯ケーブルや同軸ケーブルを回路基板に接続するために使用される基板接続端子に関する。
【背景技術】
【０００２】
従来、回路基板とケーブルとの接続は、ケーブルの接続本数が多い場合には、回路基板上にコネクタを取り付け、多数本のケーブルの先端部に取り付けたコネクタで接続されることが一般的である。一方、単芯ケーブルや同軸ケーブルの回路基板への接続本数が少ない場合には、単芯ケーブルや同軸ケーブルが回路基板に直付けされる場合もある。しかしながら、単芯ケーブルや同軸ケーブルが回路基板に直付けされた場合は、単芯ケーブルや同軸ケーブルに引っ張り力が加わった場合に、単芯ケーブルや同軸ケーブルが回路基板から外れる危険性があった。
【０００３】
例えば、車両のフロントガラスに設けられたフィルムアンテナの回路パターンに単芯ケーブルや同軸ケーブルを半田付けによって直付けして接続する場合は、フロントガラスの湾曲面に単芯ケーブルや同軸ケーブルを接続することになり、単芯ケーブルや同軸ケーブルに応力が加わってしまう。そして、単芯ケーブルや同軸ケーブルに加わる応力が半田付け部分にも加わり、半田付けをした部分にクラックが生じて断線する虞があった。
【０００４】
そこで、ガラス基板上に設けられたアンテナパターンに同軸ケーブルをコネクタを用いて接続する方法が提案された（例えば、特許文献１参照）。ところが、この方法では、コネクタ及びコネクタ接続部にある程度のサイズが必要となり、接続部の小型化を行うことが困難であった。また、コネクタを製造するためのコストにより、基板と同軸ケーブルとの接続部のコストが上昇するという問題も生じていた。このため、近年、自動車のフロントガラスやリヤガラスに形成されたアンテナパターンには、接続端子が露出する小型のコネクタを両面テープで接続する方法がとられている。
【０００５】
一方、自動車のフロントガラスやリヤガラスに形成されたアンテナパターンに接続された単芯ケーブルや同軸ケーブルは、アンテナで受信した信号を途中で増幅するために、一旦自動車に搭載されたアンテナアンプに導かれ、増幅された後に受信機に導かれる。図１は、自動車１のリヤガラス２に設けられたデフォッガ３、ラジオアンテナ４、及びデジタルＴＶアンテナ５を示すものである。ラジオアンテナ４にはＡＭ用アンテナとＦＭ用アンテナがある。また、デジタルＴＶアンテナ５は複数個設けられている。ラジオアンテナ４とデジタルＴＶアンテナ５は受信機に導かれるが、ここでは、ナビゲーションシステム１０に導かれる例を、図２に示すブロック回路図を併用して説明する。
【０００６】
ラジオアンテナ４はケーブル６でラジオアンテナアンプ７に導かれ、増幅された後に再びケーブル６で、コンビネーションメータ１Ｃのあるインストルメントパネル１Ｄに設けられたナビゲーションシステム１０に導かれる。また、複数のデジタルＴＶアンテナ５は、ケーブル６でセレクタ一体型ＴＶアンテナアンプ８に導かれ、感度の良いアンテナの信号が選択されて増幅され、同じくナビゲーションシステム１０に導かれる。ラジオアンテナアンプ７とセレクタ一体型ＴＶアンテナアンプ８は、一般に自動車１のＣピラー１Ｐに内蔵される。ケーブル６には単芯ケーブル、或いは同軸ケーブルが使用される。
【０００７】
ナビゲーションシステム１０にはＧＰＳアンテナ又は統合アンテナ９も接続されており、ＥＴＣシステムの無線電波の受信信号や、ＧＰＳ衛星からの軌道信号の受信信号が入力される。また、ナビゲーションシステム１０にはパーキングブレーキＯＮ／ＯＦＦ信号、スイッチ操作信号、車速信号、リバース信号、映像信号等も入力される。更に、ナビゲーションシステム１０からは、自動車の車室内に設けられたスピーカに対して音声信号が出力される。
【０００８】
図３（ａ）は、図１，２に示したラジオアンテナアンプ７と、ラジオアンテナアンプ７のケース７０に接続されるケーブル６Ａ〜６Ｆを示すものである。ここではラジオアンテナアンプ７の構成について説明するが、デジタルＴＶアンテナアンプ８の構成もラジオアンテナアンプ７と同様である。図３（ｂ）は図３（ａ）に示したアンテナアンプ７のケース７０のカバー（アッパーケース）７１を外し、ロアケース７２に取り付けられているアンテナアンプ基板７４を露出させた状態を示すものである。ロアケース７２の底面には、図３（ａ）に示すように、ケース７０をＣピラーに固定するための取付金具であるブラケット７３が設けられているが、このブラケット７３は図３（ｂ）では図示を省略してある。
【０００９】
アンテナアンプ基板７４には増幅回路部品７５が実装されており、ケーブル６Ａ〜６Ｆは基板接続端子２０，３０を介してアンテナアンプ基板７４に接続されている。図３においては、ケーブル６Ｂ，６Ｃ，６Ｆが単芯ケーブルであり、単芯用基板接続端子２０を介してアンテナアンプ基板７４に接続されている。また、ケーブル６Ａ，６Ｄ，６Ｅが同軸ケーブルであり、同軸用基板接続端子３０を介してアンテナアンプ基板７４に接続されている。そして、例えば、図３（ａ）、（ｂ）に示されるロアケース７２の左側に示されるケーブル６Ａ，６Ｂの他端がＦＭアンテナに接続しており、ケーブル６Ｃの他端がＡＭアンテナに接続している。また、ロアケース７２の右側に示されるケーブル６ＤがＦＭ信号用のケーブル、ケーブル６ＥがＦＭ信号とＡＭ信号の兼用のケーブル、ケーブル６Ｆが電源用のケーブルである。
【００１０】
まず、図４(ａ)から(ｄ)を用いて、従来の単芯用基板接続端子２０を用いたアンテナアンプ基板７４との接続について、単芯ケーブル６Ｃを用いて説明する。単芯ケーブル６Ｃは、芯線６１と保護被覆６２を備えている。単芯用基板接続端子２０は、薄板状の導電性金属をプレス加工して作られており、本体部２０Ｂに対して７本の突片２１〜２７が、本体部２０Ｂから折り曲げられて設けられている。
【００１１】
突片２１は本体部２０Ｂの先端部に設けられており、自由端部がアンテナアンプ基板７４に設けられたスリットに挿入されるようになっている。また、突片２１の中央部の両側には、突片２１の自由端部のアンテナアンプ基板７４への挿入を止めるための拡幅部２１Ａが設けられている。
【００１２】
突片２２，２３は本体部２０Ｂの先端部側の両側に所定間隔を隔てて対向して設けられており、自由端部がそれぞれアンテナアンプ基板７４に設けられたスリットに挿入されるようになっている。突片２２，２３の後端部側には段部２２Ａ，２３Ａがあり、突片２２，２３の本体部２０Ｂ側の幅はこの段部２２Ａ，２３Ａによって拡幅されている。段部２２Ａ，２３Ａは突片２２，２３の自由端部のアンテナアンプ基板７４への挿入を止めるために設けられており、段部２２Ａ，２３Ａの本体部２０Ｂからの高さは、突片２１の拡幅部２１Ａの上端部の本体部２０Ｂからの高さに等しい。突片２２，２３の自由端部側にはそれぞれ抜け止め２２Ｂ，２３Ｂが突設されている。
【００１３】
本体部２０Ｂの後端部側の幅は先端部側に比べて狭くなっており、幅が狭くなった本体部２０Ｂの突片２２，２３に隣接する部分には、所定間隔を隔てて突片２４，２５が対向して設けられている。突片２４，２５は外側に向かって湾曲した状態で本体部２０Ｂに突設されている。これは、突片２４，２５はカシメられて、単芯ケーブル６Ｃの芯線６１に電気的に接続されるからである。突片２４，２５は湾曲していない場合もある。
【００１４】
本体部２０Ｂの後端部には、突片２４，２５に隣接して本体部２０Ｂに突設された突片２６，２７が所定間隔を隔てて対向して設けられている。突片２６，２７も外側に向かって湾曲した状態で本体部２０Ｂに突設されている。これは、突片２６，２７はカシメられて、単芯ケーブル６Ｃの保護被膜６２に固着されるからである。突片２６，２７は湾曲していない場合もある。
【００１５】
以上のように構成された単芯用基板接続端子２０に対して、単芯ケーブル６Ｃはその芯線６１が突片２４，２５の間の部分に挿入され、保護被覆６２が突片２６，２７の間の部分に挿入される。そして、突片２４，２５は工具等によって両側からカシメられ、芯線６１が突片２４，２５に強固に且つ電気的に結合する。同様に、突片２６，２７も工具等によって両側からカシメられ、保護被覆６２に強固に固着し、単芯用基板接続端子２０が単芯ケーブル６Ｃから外れないようになる。この状態を図４（ｂ）に示す。
【００１６】
図４（ｂ）に示すように単芯ケーブル６Ｃが接続された単芯用基板接続端子２０は、この状態から上下が逆にされ、図４（ｃ）、（ｄ）に示すように、突片２１，２２，２３がアンテナアンプ基板７４に開けられたスリットに挿入されてアンテナアンプ基板７４に取り付けられる。図４（ｃ）、（ｄ）には、図３に示したロアケース７２の一部がアンテナアンプ基板７４と共に図示してある。
【００１７】
単芯用基板接続端子２０がアンテナアンプ基板７４に取り付けられると、単芯用基板接続端子２０は突片２２，２３に設けられた抜け止め２２Ｂ，２３Ｂによって抜けなくなる。また、突片２１が挿入されるスリットの裏面側のアンテナアンプ基板７４にはランドパターンが形成されており、突片２１の自由端部をこのランドパターンに半田付けすることにより、単芯ケーブル６Ｃの芯線６１がアンテナアンプ基板７４に接続される。図４（ｄ）に示す符号２８が半田付け部である。
【００１８】
次に、図５（ａ）から（ｃ）を用いて、従来の同軸用基板接続端子３０を用いたアンテナアンプ基板７４との接続について、同軸ケーブル６Ａを用いて説明する。同軸ケーブル６Ａは、芯線（内部導体）６３、内部絶縁体６４、編組線（外部導体）６５及び保護被覆６６を備えている。同軸用基板接続端子３０は、薄板状の導電性金属をプレス加工して作られており、本体部３０Ｂに対して７本の突片３１〜３７が、本体部３０Ｂから折り曲げられて設けられている。
【００１９】
突片３１は本体部３０Ｂの先端部から側方に延びるアーム３１Ａの端部に設けられており、自由端部がアンテナアンプ基板７４に設けられたスリットに挿入されるようになっている。また、突片３１の中央部の両側には、突片３１の自由端部のアンテナアンプ基板７４への挿入を止めるための拡幅部３１Ｂが設けられている。
【００２０】
突片３２，３３は本体部３０Ｂの先端部側の両側に所定間隔を隔てて対向して設けられており、自由端部がそれぞれアンテナアンプ基板７４に設けられたスリットに挿入されるようになっている。突片３２，３３の後端部側には段部３２Ａ，３３Ａがあり、突片３２，３３の本体部３０Ｂ側の幅はこの段部３２Ａ，３３Ａによって拡幅されている。段部３２Ａ，３３Ａは突片３２，３３の自由端部のアンテナアンプ基板７４への挿入を止めるために設けられており、段部３２Ａ，３３Ａの本体部３０Ｂからの高さは、突片３１の拡幅部３１Ｂの上端部の本体部３０Ｂからの高さに等しい。突片３２，３３の自由端部側にはそれぞれ抜け止め３２Ｂ，３３Ｂが突設されている。
【００２１】
本体部３０Ｂの後端部側の幅は先端部側に比べて狭くなっており、幅が狭くなった本体部３０Ｂの突片３２，３３に隣接する部分には、所定間隔を隔てて突片３４，３５が対向して設けられている。突片３４，３５は外側に向かって湾曲した状態で本体部３０Ｂに突設されている。これは、突片３４，３５はカシメられて、同軸ケーブル６Ａの編組線６５に電気的に接続されるからである。突片３４，３５は湾曲していない場合もある。
【００２２】
本体部３０Ｂの後端部には、突片３４，３５に隣接して本体部３０Ｂに突設された突片３６，３７が所定間隔を隔てて対向して設けられている。突片３６，３７も外側に向かって湾曲した状態で本体部３０Ｂに突設されている。これは、突片３６，３７はカシメられて、同軸ケーブル６Ａの保護被膜６６に固着されるからである。突片３６，３７は湾曲していない場合もある。
【００２３】
以上のように構成された同軸用基板接続端子３０に対して、同軸ケーブル６Ａはその芯線６３と内部絶縁体６４の一部が同軸用基板接続端子３０から突出した状態で、編組線６５が突片３４，３５の間の部分に挿入され、保護被覆６６が突片３６，３７の間の部分に挿入される。そして、突片３４，３５は工具等によって両側からカシメられ、編組線６５が突片３４，３５に強固に且つ電気的に結合する。同様に、突片３６，３７も工具等によって両側からカシメられ、保護被覆６６に強固に固着し、同軸用基板接続端子３０が同軸ケーブル６Ａから外れないようになる。
【００２４】
同軸ケーブル６Ａが接続された同軸用基板接続端子３０は、図５（ｂ）、（ｃ）に示すように、芯線６３がアンテナアンプ基板７４側に折り曲げられてアンテナアンプ基板７４の上に開けられた孔に挿通されると共に、突片３１，３２，３３がアンテナアンプ基板７４に開けられたスリットに挿入されてアンテナアンプ基板７４に取り付けられる。図５（ｂ）、（ｃ）には、図３に示したロアケース７２の一部がアンテナアンプ基板７４と共に図示してある。
【００２５】
同軸用基板接続端子３０がアンテナアンプ基板７４に取り付けられると、同軸用基板接続端子３０は突片３２，３３に設けられた抜け止め３２Ｂ，３３Ｂによって抜けなくなる。また、芯線６３が挿入される孔と突片３１が挿入されるスリットの裏面側のアンテナアンプ基板７４にはランドパターンが形成されており、芯線６３と突片３１の自由端部をこのランドパターンに半田付けすることにより、同軸ケーブル６Ａの芯線６３と編組線６５がアンテナアンプ基板７４に接続される。図５（ｃ）に示す符号３８、３９が半田付け部である。
【先行技術文献】
【特許文献】
【００２６】
【特許文献１】実公平８−２９２６号公報（図１）
【発明の概要】
【発明が解決しようとする課題】
【００２７】
ところが、従来の単芯用基板接続端子及び同軸用基板接続端子は、アンテナアンプ基板における端子の設置範囲が大きく、アンテナアンプ基板における電子部品の実装有効面積が少なくなるので基板を大きくせざるを得ず、アンテナアンプのケースの小型化が図れないという課題があった。また、単芯ケーブル、同軸ケーブル用の基板接続端子は、基板との接続やケーブルの引っ張り強度を確保するために、「基板への半田付け部」、「基板への端子挿入部」及び「ケーブルカシメ部」の３つの部分が必要であり、各部分をそのまま小型化するにしても、それぞれの機能を満足させるためには基板接続端子の大幅なサイズダウンは望めなかった。
【００２８】
そこで、本発明は、単芯ケーブル或いは同軸ケーブルをアンプ基板に接続するための基板接続端子を、「基板への半田付け部」、「基板への端子挿入部」及び「ケーブルカシメ部」の３つの機能を満足させながら小型化することが可能なケーブルの基板接続端子を提供することを目的としている。
【課題を解決するための手段】
【００２９】
前記目的を達成する本発明のケーブルの基板接続端子は、芯線又は編組線を有するケーブルを基板に接続させるケーブル接続端子であって、芯線又は編組線と電気的に接続され、かつ基板に設けられた孔に突片を挿入することにより、ケーブルを基板に固定する基板固定部と、突片の挿入位置よりも基板の内部側に設けられる、芯線又は編組線を把持する導電線把持部とを有することを特徴としている。
【００３０】
この場合、突片は対向する２枚の突片から構成し、２枚の突片のうちの何れか一方に抜止部を設けることができる。また、ケーブルが同軸ケーブルである場合は、芯線を基板に半田付けし、被覆部分を把持する第１被覆把持部を持たせ、ケーブルが単芯ケーブルである場合は、被覆部分を把持する第２被覆把持部を持たせ、第２被覆把持部を突片の基板への挿入位置よりも基板の内部側に設ければ良い。更に、ケーブルの一端にアンテナが接続する場合には、基板にアンテナで受信した信号を増幅するアンテナアンプ回路を含ませることが可能である。
【発明の効果】
【００３１】
本出願の単芯用基板接続端子及び同軸用基板接続端子によれば、基板接続端子に必要な「基板への半田付け部」、「基板への端子挿入部」及び「ケーブルカシメ部」の３つの機能を満足させながら、基板接続端子を小型化することが可能である。
【図面の簡単な説明】
【００３２】
【図１】本発明の本出願の基板接続端子の使用箇所を説明する自動車の透視図である。
【図２】図１に示した自動車に搭載されるアンテナ、アンテナアンプ、及びナビゲーションシステムの接続関係を示すブロック回路図である。
【図３】（ａ）は図１，２に示したアンテナアンプと、アンテナアンプのケースに接続されるケーブルを示す斜視図、（ｂ）は（ａ）に示したアンテナアンプのケースのカバーを外して内蔵されたアンテナアンプ基板を露出させた状態を示す平面図である。
【図４】（ａ）は単芯ケーブルを固着する従来の基板接続端子の構造を示す斜視図、（ｂ）は（ａ）の基板接続端子に単芯ケーブルを固着した状態を示す斜視図、（ｃ）は単芯ケーブルが取り付けられた基板接続端子がアンテナアンプの回路基板の一部分に取り付けられた状態を部分斜視図、（ｄ）は（ｃ）を側面から見た側面図である。
【図５】（ａ）は同軸ケーブルを固着する従来の基板接続端子の構造を示す斜視図、（ｂ）は（ａ）の同軸ケーブルが取り付けられた基板接続端子がアンテナアンプの回路基板の一部分に取り付けられた状態を部分斜視図、（ｃ）は（ｂ）を側面から見た側面図である。
【図６】（ａ）は単芯ケーブルを固着する本発明の基板接続端子の第１の実施例の構造を示す斜視図、（ｂ）は（ａ）の基板接続端子に単芯ケーブルを固着した状態を示す斜視図、（ｃ）は（ｂ）の状態を上下逆にして示す斜視図、（ｄ）は単芯ケーブルが取り付けられた基板接続端子がアンテナアンプの回路基板の一部分に取り付けられた状態を側面から見た側面図である。
【図７】（ａ）は同軸ケーブルを固着する本発明の基板接続端子の第２の実施例の構造を示す斜視図、（ｂ）は（ａ）に示した基板接続端子単体の側面図、（ｃ）は（ａ）の基板接続端子に同軸ケーブルを固着した状態を示す斜視図、（ｄ）は（ｂ）に示した同軸ケーブルを固着した基板接続端子が回路基板に取り付けられた上体を示す部分平面図、（ｅ）は（ｄ）を側面から見た側面図である。
【図８】（ａ）は、図４（ｄ）に示した従来の基板接続端子に単芯ケーブルが取り付けられて基板に固着された状態を、図６（ｄ）に示した本発明の基板接続端子に単芯ケーブルが取り付けられて基板に固着された状態を比較する側面図、（ｂ）は、図５（ｃ）に示した従来の基板接続端子に同軸ケーブルが取り付けられて基板に固着された状態を、図７（ｅ）に示した本発明の基板接続端子に同軸ケーブルが取り付けられて基板に固着された状態を比較する側面図である。
【図９】（ａ）は従来の単芯用基板接続端子と同軸用基板接続端子を使用した場合のケースの大きさを示す正面図、（ｂ）は本発明の単芯用基板接続端子と同軸用基板接続端子を使用した場合のケースの大きさを同一の縮尺で示す正面図である。
【発明を実施するための形態】
【００３３】
以下、添付図面を用いて本出願の実施の形態を、具体的な実施例に基づいて詳細に説明する。
【００３４】
まず、図６(ａ)から(ｄ)を用いて、本発明の第１の実施例である単芯用基板接続端子４０を用いたアンテナアンプ基板７４との接続について、芯線６１と保護被覆６２を備えた単芯ケーブル６Ｃを用いて説明する。第１の実施例の単芯用基板接続端子４０も、薄板状の導電性金属をプレス加工して作ることができる。一方、第１の実施例の単芯用基板接続端子４０では、本体部４０Ｂに対して６本の突片４１〜４６が、本体部４０Ｂから折り曲げられて設けられている。
【００３５】
本体部４０Ｂは、単芯ケーブル６Ｃが接続する側（後端部側）の幅が広く形成され、本体部４０Ｂの先端部側の幅は後端部側に比べて狭く形成されている。幅が狭くなった本体部４０Ｂの先端部には、所定間隔を隔てて突片４１，４２が対向して設けられている。突片４１，４２は外側に向かって湾曲した状態で本体部４０Ｂに突設されている。これは、突片４１，４２はカシメられて、単芯ケーブル６Ｃの芯線６１に電気的に接続されるからである。突片４１、４２は湾曲していない場合もある。
【００３６】
本体部４０Ｂの突片４１，４２に隣接する後端部側には、突片４３，４４が所定間隔を隔てて対向して設けられている。突片４３，４４も外側に向かって湾曲した状態で本体部４０Ｂに突設されている。これは、突片４３，４４はカシメられて、単芯ケーブル６Ｃの保護被膜６２に固着されるからである。突片４３，４４は湾曲していない場合もある。
【００３７】
本体部４０Ｂの突片４３，４４に隣接する幅広の後端部側には、突片４５，４６が所定間隔を隔てて対向して設けられており、自由端部がそれぞれアンテナアンプ基板７４に設けられたスリットに挿入されるようになっている。突片４５，４６の本体部４０Ｂ側は段部４５Ａ，４６Ａによって拡幅されている。段部４５Ａ，４６Ａは突片４５，４６の両側に設けられており、突片４５，４６の自由端部のアンテナアンプ基板７４への挿入を止めるために設けられている。
【００３８】
また、突片４５，４６のアンテナアンプ基板７４に挿入される部分には、それぞれ抜け止め４５Ｂ，４６Ｂが突設されている。第１の実施例では、抜け止め４５Ｂは突片４５の外側に突出する膨出部であり、抜け止め部４６Ｂは、突片４６の本体部４０Ｂ側を外側に切り起こした切り起こし部となっている。抜け止め部４６Ｂの自由端部は、突片４５，４６が段部４５Ａ，４６Ａがアンテナアンプ基板７４に当接するまでスリットに挿入される時に、挿入中は突片４６側に変位し、挿通完了時に元の状態に戻ってアンテナアンプ基板７４の裏面側に当接するようになっている。よって、一旦突片４５，４６がアンテナアンプ基板７４に取り付けられると、突片４５，４６はアンテナアンプ基板７４から抜けなくなる。
【００３９】
以上のように構成された単芯用基板接続端子４０に対して、単芯ケーブル６Ｃはその芯線６１が突片４１、４２の間の部分に挿入され、保護被覆６２が突片４３，４４の間の部分に挿入される。そして、突片４１，４２は工具等によって両側からカシメられ、芯線６１が突片４１，４２に強固に且つ電気的に結合する。同様に、突片４３，４４も工具等によって両側からカシメられ、保護被覆６２に強固に固着し、単芯用基板接続端子４０が単芯ケーブル６Ｃから外れないようになる。この状態を図６（ｂ）、（ｃ）に示す。
【００４０】
図６（ｃ）に示すように単芯ケーブル６Ｃが接続された単芯用基板接続端子４０は、図６（ｄ）に示すように、突片４５，４６がアンテナアンプ基板７４に開けられたスリットに挿入されてアンテナアンプ基板７４に取り付けられる。図６（ｄ）には、図３に示したロアケース７２の一部がアンテナアンプ基板７４と共に図示してある。単芯用基板接続端子４０がアンテナアンプ基板７４に取り付けられると、単芯用基板接続端子４０は突片４５，４６に設けられた抜け止め４５Ｂ（膨出部）と、抜け止め４６Ｂ（切り起こし部）の前述の動作によって抜けなくなる。
【００４１】
また、突片４５，４６が挿入されるスリットの裏面側のアンテナアンプ基板７４には、突片４５側のスリットにランドパターンが形成されており、突片４５の自由端部をこのランドパターンに半田付けすることにより、単芯ケーブル６Ｃの芯線６１がアンテナアンプ基板７４に接続される。図６（ｄ）に示す符号４７が半田付け部である。なお、突片４５，４６において、抜け止め４５Ｂが突片４５の本体部４０Ｂ側を外側に切り起こした切り起こし部であり、抜け止め４６Ｂが突片４６の外側に突出する膨出部である場合には、突片４６側のスリットにランドパターンが形成され、突片４６の自由端部をこのランドパターンに半田付けすることにより、単芯ケーブル６Ｃの芯線６１がアンテナアンプ基板７４に接続される。
【００４２】
次に、図７（ａ）から（ｅ）を用いて、本発明の第２の実施例の同軸用基板接続端子８０を用いたアンテナアンプ基板７４との接続について、同軸ケーブル６Ａを用いて説明する。同軸ケーブル６Ａは、芯線（内部導体）６３、内部絶縁体６４、編組線（外部導体）６５及び保護被覆６６を備えている。同軸用基板接続端子８０は、図７（ａ）、（ｂ）に示すように、薄板状の導電性金属をプレス加工して作られており、本体部８０Ｂに対して６本の突片８１〜８６が、本体部８０Ｂから折り曲げられて設けられている。
【００４３】
本体部８０Ｂは、中央部の幅が広く形成され、同軸ケーブル６Ｃが接続する側（後端部側）の幅と、先端部側の幅は中央部に比べて狭く形成されている。幅の狭い本体部８０Ｂの先端部には、所定間隔を隔てて突片８１，８２が対向して設けられている。突片８１，８２はこの実施例では平板状であり、本体部８０Ｂに突設されている。これは、突片８１，８２はカシメられて、同軸ケーブル６Ａの編組線６５に電気的に接続されて固着されるからである。突片８１、８２は湾曲している場合もある。
【００４４】
本体部８０Ｂの幅広の中央部には、突片８３，８４が所定間隔を隔てて対向して設けられており、自由端部がそれぞれアンテナアンプ基板７４に設けられたスリットに挿入されるようになっている。突片８３，８４の本体部８０Ｂ側は段部８３Ａ，８４Ａによって拡幅されている。段部８３Ａ，８４Ａは突片８３，８４の両側に設けられており、突片８３，８４の自由端部のアンテナアンプ基板７４への挿入を止めるために設けられている。
【００４５】
また、突片８３，８４のアンテナアンプ基板７４に挿入される部分には、それぞれ抜け止め８３Ｂ，８４Ｂが突設されている。第２の実施例では、抜け止め８３Ｂは突片８３の外側に突出する膨出部であり、抜け止め部８４Ｂは、突片８４の本体部８０Ｂ側を外側に切り起こした切り起こし部となっている。抜け止め部８４Ｂの自由端部は、突片８３，８４が段部８３Ａ，８４Ａがアンテナアンプ基板７４に当接するまでスリットに挿入される時に、挿入中は突片８４側に変位し、挿通完了時に元の状態に戻ってアンテナアンプ基板７４の裏面側に当接するようになっている。よって、一旦突片８３，８４がアンテナアンプ基板７４に取り付けられると、突片８３，８４はアンテナアンプ基板７４から抜けなくなる。
【００４６】
本体部８０Ｂの中央部に隣接する後端部側には、突片８５，８６が所定間隔を隔てて対向して設けられている。突片８５，８６はこの実施例では外側に向かって僅かに開いた板状である。これは、突片８５，８６はカシメられて、同軸ケーブル６Ａの保護被膜６６に固着されるからである。突片８５，８６は湾曲している場合もある。
【００４７】
以上のように構成された同軸用基板接続端子８０に対して、同軸ケーブル６Ａはその芯線６３と内部絶縁体６４の一部が同軸用基板接続端子８０から突出した状態で、編組線６５が突片８１，８２の間の部分に挿入され、保護被覆６６が突片８３，８４と突片８５，８６の間の部分に挿入される。そして、突片８１，８２は工具等によって両側からカシメられ、編組線６５が突片８１，８２に強固に且つ電気的に結合する。同様に、突片８５，８６も工具等によって両側からカシメられ、保護被覆６６に強固に固着し、同軸用基板接続端子８０が同軸ケーブル６Ａから外れないようになる。この状態を図７（ｃ）に示す。
【００４８】
同軸ケーブル６Ａが接続された同軸用基板接続端子８０は、図７（ｄ）、（ｅ）に示すように、芯線６３がアンテナアンプ基板７４側に折り曲げられてアンテナアンプ基板７４の上に開けられた孔に挿通されると共に、突片８３，８４がアンテナアンプ基板７４に開けられたスリットに挿入されてアンテナアンプ基板７４に取り付けられる。図７（ｄ）、（ｅ）には、図３に示したロアケース７２の一部がアンテナアンプ基板７４と共に図示してある。
【００４９】
同軸用基板接続端子８０がアンテナアンプ基板７４に取り付けられると、同軸用基板接続端子８０は突片８３，８４に設けられた抜け止め８３Ｂ，８４Ｂに設けられた抜け止め８３Ｂ（膨出部）と、抜け止め８４Ｂ（切り起こし部）の前述の動作によって抜けなくなる。また、芯線６３が挿入される孔と突片８３が挿入されるスリットの裏面側のアンテナアンプ基板７４にはランドパターンが形成されており、芯線６３と突片８３の自由端部をこのランドパターンに半田付けすることにより、同軸ケーブル６Ａの芯線６３と編組線６５がアンテナアンプ基板７４に接続される。図７（ｅ）に示す符号８７、８８が半田付け部である。
【００５０】
なお、突片８３，８４において、抜け止め８３Ｂが突片８３の本体部８０Ｂ側を外側に切り起こした切り起こし部であり、抜け止め８４Ｂが突片８４の外側に突出する膨出部である場合には、突片８４側のスリットにランドパターンが形成され、突片８４の自由端部をこのランドパターンに半田付けすることにより、同軸ケーブル６Ａの編組線６５がアンテナアンプ基板７４に接続される。
【００５１】
ここで、以上のように構成された本発明の単芯用基板接続端子４０と従来の単芯用基板接続端子２０とを、これらが内蔵されるロアケース７２の端部を揃えた状態で比較する。図８（ａ）の上側に、図４（ｄ）に示した従来の単芯用基板接続端子２０に単芯ケーブル６Ｃが取り付けられてアンプ基板７４に固着された状態を示し、図８（ａ）の下側に、図６（ｄ）に示した本発明の第１の実施例の単芯用基板接続端子４０に単芯ケーブル６Ｃが取り付けられてアンプ基板７４に固着された状態を示す。
【００５２】
従来の単芯用基板接続端子２０には、単芯ケーブル６Ｃの芯線６１と保護被覆６２を接続するための突片２４，２５と突片２６，２７が、単芯ケーブル６Ｃの接続側の端部に設けられており、この他にも、単芯用基板接続端子２０をアンプ基板７４に取り付けるための突片２２，２３と、単芯ケーブル６Ｃの芯線６１をアンプ基板７４に接続するための突片２１が設けられている。そして、突片２１のみが半田付け部２８でアンプ基板７４に電気的に接続していた。
【００５３】
これに対して、本発明の第１の実施例の単芯用基板接続端子４０では、単芯ケーブル６Ｃの芯線６１と保護被覆６２を接続するための突片４１，４２と突片４３，４４が、単芯ケーブル６Ｃの接続側の端部と反対側（アンプ基板の内部側）の端部に設けられている。そして、単芯用基板接続端子４０の単芯ケーブル６Ｃの接続側の端部に、単芯用基板接続端子４０をアンプ基板７４に取り付けるための突片４５，４６が設けられており、従来例の突片２１に対応する突片はなく、膨出部を備えた突片４５が半田付け部４７で直接アンプ基板７４に電気的に接続している。
【００５４】
このように、芯線６１を把持する突片４１，４２、単芯ケーブル６Ｃの保護被覆６２を把持する突片４３，４４が、アンプ基板７４のスリットに挿入される突片４５，４６の位置よりもアンプ基板７４の内部側に位置するため、アンプ基板７４の実装領域が有効に活用できる。このことを以下に詳しく説明する。
【００５５】
図８（ａ）では、アンプ基板７４の上側の面が部品実装面であり、下側の面が半田付け面である。本発明の第１の実施例の単芯用基板接続端子４０では、突片４５，４６のアンプ基板７４に対する半田付け部４７がアンプ基板７４の端部にあり、突片４１〜４４とアンプ基板７４の間にはスペースがある。よって、アンプ基板７４を両面実装基板とした場合に、半田付け面において基板の有効面積が矢印Ｖで示すように広がる。そして、有効面積が広がった分に対して、電子部品の実装数を増やすことが可能になる。また、アンプ基板７４に実装する回路部品数を従来と同じ数にした場合は、アンプ基板７４のサイズを小さくして、ケースを小型化することができる。
【００５６】
次に、以上のように構成された本発明の同軸用基板接続端子８０と従来の単芯用基板接続端子３０とを、これらが内蔵されるロアケース７２の端部を揃えた状態で比較する。図８（ｂ）の上側に、図５（ｃ）に示した従来の同軸用基板接続端子３０に単芯ケーブル６Ｃが取り付けられてアンプ基板７４に固着された状態を示し、図８（ｂ）の下側に、図７（ｅ）に示した本発明の第２の実施例の同軸用基板接続端子８０に同軸ケーブル６Ａが取り付けられてアンプ基板７４に固着された状態を示す。
【００５７】
従来の同軸用基板接続端子３０には、同軸ケーブル６Ａの編組線６５と保護被覆６６を接続するための突片３４，３５と突片３６、３７が、同軸ケーブル６Ａの接続側の端部に設けられており、この他にも、同軸用基板接続端子３０をアンプ基板７４に取り付けるための突片３２，３３と、同軸ケーブル６Ａの編組線６５をアンプ基板７４に接続するための突片３１が設けられている。そして、突片３１と芯線６３のみが半田付け部３８、３９でアンプ基板７４に電気的に接続していた。このため、編組線（シールド）６５の無い範囲ＳＬが広かった。
【００５８】
これに対して、本発明の第２の実施例の同軸用基板接続端子８０では、同軸ケーブル６Ａの編組線６５と保護被覆６６を接続するための突片８１，８２と突片８５，８６が、本体部８０Ｂを挟んで本体部８０Ｂの先端部側と同軸ケーブル６Ａが接続する後端部側に分かれて設けられている。そして、本体部８０Ｂに、同軸用基板接続端子８０をアンプ基板７４に取り付けるための突片８３、８４が設けられており、従来例の突片３１に対応する突片はなく、突片８３が半田付け部８８で直接アンプ基板７４に電気的に接続している。
【００５９】
このように、編組線６５を把持する突片８１，８２が、アンプ基板７４のスリットに挿入される突片８３，８４の位置よりもアンプ基板７４の内部側に位置するため、アンプ基板７４の実装領域が有効に活用できる。このことを以下に詳しく説明する。
【００６０】
図８（ｂ）では、アンプ基板７４の上側の面が部品実装面であり、下側の面が半田付け面である。本発明の第２の実施例の同軸用基板接続端子８０では、突片８３のアンプ基板７４に対する半田付け部８８がアンプ基板７４の端部に近い部分にあり、従来例の突片３１に対応する突片がないので、編組線（シールド）６５の無い範囲ＳＬを狭くすることができる。これにより、ノイズが入りにくいという効果がある。また、編組線６５の無い範囲ＳＬが狭い分だけ、アンプ基板７４の上に有効面積Ｗが余分にある。そして、有効面積Ｗが広がったので、アンプ基板７４が両面実装の場合、電子部品の実装数を増やすことが可能になる。また、アンプ基板７４に実装する回路部品数を従来と同じ数にした場合は、アンプ基板７４のサイズを小さくして、ケースを小型化することができる。
【００６１】
同軸用基板接続端子８０では、同軸ケーブル６Ａの芯線６３をアンプ基板７４に半田付けする部位があるため、同軸ケーブル６Ａに対するカシメ位置の変更だけでは全長を短くすることは困難であるが、従来の編組線６５をアンプ基板７４に電気的に接続するための突片を無くして、これを本体部８０Ｂをアンプ基板７４に取り付ける突片８３に受け持たせることにより、同軸用基板接続端子８０の全長を短くすることが可能になった。
【００６２】
また、同軸ケーブル６Ａの編組線６５を把持する突片８５，８６が、アンプ基板７４のスリットに挿入される突片８３，８４の位置よりもアンプ基板７４の内部側に位置するため、同軸ケーブル６Ａが引っ張られた時に、芯線６３にかかるストレスを軽減することが可能になる。
【００６３】
図９（ａ）は、従来の単芯用基板接続端子と同軸用基板接続端子を使用した場合のケース７０Ｑの大きさを示しており、図９（ｂ）は本発明の単芯用基板接続端子と同軸用基板接続端子を使用した場合のケース７０Ｐの大きさを同一の縮尺で示すものである。このように、本発明の単芯用基板接続端子と同軸用基板接続端子を使用すれば、ケース７０Ｑとケース７０Ｐの厚さは変わらない場合に、体積を３０％程度削減することができ、アンテナアンプの小型化を図ることができる。この結果、本発明のアンテナアンプが車載用である場合において、アンテナアンプの設置スペースが限られる小型車にも採用でき、適用車種の範囲が広がる。更に、アンテナアンプを設置した際の見栄えも良好になり、ユーザの満足度を向上させる商品が提供できる。
【００６４】
なお、以上説明した実施例では、一方の端部にアンテナが接続された単芯ケーブルと同軸ケーブルをアンテナアンプ基板に接続する場合の単芯用基板接続端子と同軸用基板接続端子について説明したが、本発明の単芯用基板接続端子と同軸用基板接続端子は、単芯ケーブル或いは同軸ケーブルのアンテナ基板への接続に限定されるものではなく、単芯ケーブル或いは同軸ケーブルを回路基板に接続する場合の基板接続端子として、広く適用できるものである。
【符号の説明】
【００６５】
２０    従来の単芯用基板接続端子
２０Ｂ    本体部
２１〜２７    突片
３０    従来の同軸用基板接続端子
３０Ｂ    本体部
３１〜３７    突片
４０    本発明の第１の実施例の単芯用基板接続端子
４０Ｂ    本体部
４１〜４６    突片
４７    半田付け部
８０    本発明の第２の実施例の同軸用基板接続端子
８０Ｂ    本体部
８１〜８６    突片
８７，８８    半田付け部
【図１】
2011233360.tif 000003
【図２】
2011233360.tif 000004
【図３】
2011233360.tif 000005
【図４】
2011233360.tif 000006
【図５】
2011233360.tif 000007
【図６】
2011233360.tif 000008
【図７】
2011233360.tif 000009
【図８】
2011233360.tif 000010
【図９】
2011233360.tif 000011